(57)【要約】【課題】表示部に表示された画像を見るユーザーの酔いを低減する必用がある。【解決手段】筺体に設けられた覗き窓の内側に配設されて画像を表示する表示部と、上記覗き窓の内側の空間を照らす照明部と、上記表示部の明るさが第一の明るさである場合に上記照明部の明るさを第二の明るさにし、上記表示部の明るさが上記第一の明るさよりも明るい第三の明るさである場合に上記照明部の明るさを上記第二の明るさよりも明るい第四の明るさにする制御部とを備える画像表示装置とした。【選択図】図９
2011164536.tif 000002
【特許請求の範囲】
【請求項１】
筺体に設けられた覗き窓の内側に配設されて画像を表示する表示部と、
上記覗き窓の内側の空間を照らす照明部と、
上記表示部の明るさが第一の明るさである場合に上記照明部の明るさを第二の明るさにし、上記表示部の明るさが上記第一の明るさよりも明るい第三の明るさである場合に上記照明部の明るさを上記第二の明るさよりも明るい第四の明るさにする制御部とを備えることを特徴とする画像表示装置。
【請求項２】
上記覗き窓が覗かれているか否かを判断する判断部を更に備え、
上記制御部は、上記判断部が上記覗き窓が覗かれていると判断する時間が長くなるにつれて、上記表示部の明るさおよび上記照明部の明るさを増加させることを特徴とする請求項１に記載の画像表示装置。
【請求項３】
上記筺体外部を撮影して画像データを生成する撮影部を更に備え、
上記表示部は、バックライトを備えた液晶表示部であり、上記撮影部が生成した画像データに基づいて画像を表示し、
上記制御部は、上記画像データと上記バックライトの明るさとのいずれか一方または双方に基づいて上記表示部の明るさを取得することを特徴とする請求項１または請求項２のいずれかに記載の画像表示装置。
【請求項４】
上記筺体内部の壁面のうち少なくとも上記表示部周辺の壁面は白色であることを特徴とする請求項１〜請求項３のいずれかに記載の画像表示装置。
【請求項５】
筺体に設けられた覗き窓の内側に配設された表示部に画像を表示させ、
上記覗き窓の内側の空間に設けられた照明部により当該空間を照らし、
上記表示部の明るさが第一の明るさである場合に上記照明部の明るさを第二の明るさにし、上記表示部の明るさが上記第一の明るさよりも明るい第三の明るさである場合に上記照明部の明るさを上記第二の明るさよりも明るい第四の明るさにすることを特徴とする明るさ制御方法。
【請求項６】
筺体に設けられた覗き窓の内側に配設された表示部に画像を表示させる機能と、
上記覗き窓の内側の空間に設けられた照明部により当該空間を照らす機能と、
上記表示部の明るさが第一の明るさである場合に上記照明部の明るさを第二の明るさにし、上記表示部の明るさが上記第一の明るさよりも明るい第三の明るさである場合に上記照明部の明るさを上記第二の明るさよりも明るい第四の明るさにする機能とをコンピューターに実行させることを特徴とする明るさ制御プログラム。
【発明の詳細な説明】
【技術分野】
【０００１】
本発明は、画像表示装置、明るさ制御方法および明るさ制御プログラムに関する。
【背景技術】
【０００２】
デジタルスチルカメラ（ＤＳＣ）においては、光学ファインダーを搭載したものが知られている（特許文献１参照。）。また、光学ファインダーの替わりに電子ビューファインダー（Electronic View Finder。以下、ＥＶＦ。）を搭載したＤＳＣも知られている。ＥＶＦは、ＤＳＣの撮像素子で生成された画像データを、ファインダーの覗き窓の内側の空間に配設された液晶画面に表示する構成となっている。
【先行技術文献】
【特許文献】
【０００３】
【特許文献１】特開２００７‐３３７０１号公報
【発明の概要】
【発明が解決しようとする課題】
【０００４】
ＥＶＦを搭載したＤＳＣにおいては、上記文献１でも言及されているようなファインダー像酔いが特に問題となると考えられる。つまりユーザーは、ＥＶＦを覗いて液晶画面に表示されている画像を見続けることで、眩暈や、酔ったような感覚や、目の奥が締め付けられるような不快感におそわれることがある。このような眩暈や酔いや不快感（まとめて“酔い”と呼ぶ。）は、環境光の明るさに関係なくＥＶＦでは一定の明るさ（環境光よりも明るい明るさ）で画像が表示されることによりユーザーが得る違和感や、ＥＶＦとしての液晶画面が収められた空間内と液晶画面との大きな明度差などに起因すると考えられる。
【０００５】
光学ファインダーの場合は、ユーザーがファインダーの覗き窓を介して見る像の明るさが環境光よりも明るくなることは無いため、上記のような“酔い”は、さほど問題となっていなかった。また、これまでのＤＳＣに搭載されていたＥＶＦは、液晶画面の輝度や解像度が比較的低かったため、ユーザーが上記のような“酔い”に陥ることも少なかった。しかしながら、今後、ＥＶＦの高輝度化、高精細化が進むに連れ、またユーザーによるＥＶＦの使用頻度の高まりに伴って、このようなユーザーの“酔い”の発生がより大きな問題になると考えられる。
【０００６】
本発明は上記課題を解決するためになされたものであり、表示部に表示された画像を見るユーザーの酔いを低減しあるいは無くすことが可能な画像表示装置、明るさ制御方法および明るさ制御プログラムを提供する。
【課題を解決するための手段】
【０００７】
本発明の態様の一つは、筺体に設けられた覗き窓の内側に配設されて画像を表示する表示部と、上記覗き窓の内側の空間を照らす照明部と、上記表示部の明るさが第一の明るさである場合に上記照明部の明るさを第二の明るさにし、上記表示部の明るさが上記第一の明るさよりも明るい第三の明るさである場合に上記照明部の明るさを上記第二の明るさよりも明るい第四の明るさにする制御部とを備える画像表示装置としてある。本発明によれば、制御部は、表示部が明るければ照明部を明るくさせ、表示部が暗ければ、照明部の明るさを低いものとする。つまり、覗き窓の内側の空間と表示部との明度差が大きくならないように、表示部の明るさに応じて当該空間の明るさが調整されるため、覗き窓を介して表示部上の画像を見るユーザーが上述したような“酔い”を感じることを低減しあるいは無くすことができる。
【０００８】
画像表示装置は、上記覗き窓が覗かれているか否かを判断する判断部を更に備え、上記制御部は、上記判断部が上記覗き窓が覗かれていると判断する時間が長くなるにつれて、上記表示部の明るさおよび上記照明部の明るさを増加させるとしてもよい。当該構成によれば、ユーザーが覗き窓を覗き続けると、時間の経過とともに徐々に表示部および照明部の明るさが増していく。そのため、覗き窓を介して表示部上の画像を見るユーザーの目が表示部や覗き窓の内側の空間の明るさに順応し、上記“酔い”を感じにくくなる。
【０００９】
画像表示装置は、上記筺体外部を撮影して画像データを生成する撮影部を更に備え、上記表示部は、バックライトを備えた液晶表示部であり、上記撮影部が生成した画像データに基づいて画像を表示し、上記制御部は、上記画像データと上記バックライトの明るさとのいずれか一方または双方に基づいて上記表示部の明るさを取得する構成としてもよい。当該構成によれば、制御部は、表示部の明るさを適切に得ることができ、結果、当該取得した表示部の明るさに応じて、照明部に対する最適な明るさ調整を行うことができる。
【００１０】
ユーザーは、暗い空間内で明るい画像を見たときに上記“酔い”を感じやすい。そこで、上記筺体内部の壁面のうち少なくとも上記表示部周辺の壁面は白色であるとしてもよい。当該構成によれば、ユーザーが覗き窓を覗いて見る空間内の表示部周辺の壁面が白色となっているため、当該空間内の暗さが和らぎ、結果、上記“酔い”を感じにくくなる。
【００１１】
本発明の技術的思想は、画像表示装置以外によっても実現可能である。例えば、上述した画像表示装置の各部による処理工程を有する方法（明るさ制御方法）の発明や、上述した画像表示装置の各部による機能を所定のハードウェア（例えば、画像表示装置が内蔵するコンピューター等）に実行させるプログラム（明るさ制御プログラム）の発明をも把握可能である。
【図面の簡単な説明】
【００１２】
【図１】ＤＳＣを側方から簡易的に示す図である。
【図２】ＤＳＣの概略構成を示すブロック図である。
【図３】ファインダーボックス内を簡易的に示す断面図である。
【図４】第１実施例にかかる処理を示すフローチャートである。
【図５】テーブルの一例を示す図である。
【図６】テーブルの一例を示す図である。
【図７】テーブルの一例を示す図である。
【図８】第２実施例にかかる処理を示すフローチャートである。
【図９】第３実施例にかかる処理を示すフローチャートである。
【図１０】第４実施例にかかる処理を示すフローチャートである。
【発明を実施するための形態】
【００１３】
以下、本発明の実施形態を図面を参照しながら説明する。
図１は、本実施形態にかかるＤＳＣ１０を側方から簡易的に示した図である。図１では、ＤＳＣ１０の内部構成の一部について鎖線にて示している。ＤＳＣ１０は、その機能の一部として、本発明にかかる画像表示装置としての機能を実現する。ＤＳＣ１０内部には、概略、撮像レンズ１１および撮像素子１２が配設されている。撮像素子１２は、ＣＣＤまたはＣＭＯＳ等のイメージセンサーである。ＤＳＣ１０の背面側には、モニター用液晶表示装置（モニター用ＬＣＤ）１３が配設されており、さらにＤＳＣ１０の背面側であってモニター用ＬＣＤ１３の上側の所定位置には、ＥＶＦ１４が配設されている。ＥＶＦ１４は、ＤＳＣ１０の筺体１５の背面側であってモニター用ＬＣＤ１３の上側の所定位置に形成された覗き窓（ファインダー窓）１６の内側に形成された空間（ファインダーボックスＦＢと呼ぶ。）内に配設される。ＥＶＦ１４は、本発明における表示部に該当する。
【００１４】
図２は、ＤＳＣ１０の概略構成を示したブロック図である。ＤＳＣ１０は、上述した各構成以外に、制御部１７、撮像素子ドライバー１８、外部測光センサー１９、Ａ／Ｄ変換部２０、照明部２１、内部測光センサー２２、Ａ／Ｄ変換部２３、近接センサー２４等の各構成を備える。ただし、ＤＳＣ１０は、これら各構成を全て備えていなければならない訳ではなく、後述する実施例毎に、必要な構成もあれば不要な構成もある。
制御部１７は、ＣＰＵ１７ａ、ＲＯＭ１７ｂ、ＲＡＭ１７ｃ等を備え、ＣＰＵ１７ａが、ＲＯＭ１７ｂに格納された所定のプログラムに従った処理を実行することにより、ＤＳＣ１０における画像処理やＤＳＣ１０全体の制御を実現する。
【００１５】
撮像レンズ１１を通じて入射した被写体像は、撮像素子１２の受光面に結像される。撮像素子ドライバー１８は、制御部１７に制御されることにより撮像素子１２を駆動する。駆動される撮像素子１２は、被写体像の光量に応じた電気信号を生成し、この電気信号をＡ／Ｄ変換してデジタル画像データを出力する。撮像レンズ１１、撮像素子１２、撮像素子ドライバー１８は、撮影部を構成する。制御部１７は、当該デジタル画像データに対して色補正等の所定の画像処理を施した上で、ＥＶＦ１４またはモニター用ＬＣＤ１３に出力する。
【００１６】
ＥＶＦ１４は、液晶パネル１４ａと、液晶パネル１４ａの光源としてのバックライト１４ｂとを含んでいる。ＥＶＦ１４では、制御部１７から出力されたデジタル画像データに基づいて、液晶パネル１４ａに画像を表示する。また、制御部１７は、液晶パネル１４ａに画像表示をさせるにあたりバックライト１４ｂの明るさ（輝度）を制御可能である。バックライト１４ｂの発光輝度は、例えば、バックライト１４ｂをＰＷＭ（パルス幅変調）制御により間欠駆動させる際のデューティー比を変更することにより、０％（最低輝度）〜１００％（最高輝度）の間で調整可能である。なお、液晶パネル１４ａの画面サイズと、モニター用ＬＣＤ１３を構成する液晶パネル（図示せず）の画面サイズとでは、前者のサイズの方が小さい。図では省略しているが、むろんモニター用ＬＣＤ１３の液晶パネルに対応するバックライトも存在する。
【００１７】
外部測光センサー１９は、ＤＳＣ１０の筺体１５における外部に露出する所定位置に設けられ、ＤＳＣ１０外部の明るさを取得する取得部である。外部測光センサー１９で測定された光量に応じた出力信号は、Ａ／Ｄ変換部２０によってＡ／Ｄ変換された上で、制御部１７に入力される。照明部２１は、ファインダーボックスＦＢに設けられることにより、ファインダーボックスＦＢ内を照らす。制御部１７は、照明部２１についてもその明るさを、例えば、ＰＷＭ制御により調整可能である。照明部２１は、例えば、ＬＥＤによって構成される。
【００１８】
内部測光センサー２２は、ファインダーボックスＦＢ内に露出する所定位置に設けられ、ファインダーボックスＦＢ内の明るさを取得する取得部である。内部測光センサー２２で測定された光量に応じた出力信号は、Ａ／Ｄ変換部２３によってＡ／Ｄ変換された上で、制御部１７に入力される。近接センサー２４は、覗き窓１６の近傍に設けられた非接触型の人感センサーである。近接センサー２４は、覗き窓１６にごく近い所定範囲における人の接近を検知することができ、人の接近を検知した場合に所定の検知信号を制御部１７へ出力する。制御部１７は、かかる検知信号の有無により、覗き窓１６がユーザーによって覗かれているか否かを判断することができる。
【００１９】
図３は、ＥＶＦ１４等を含むファインダーボックスＦＢ内を断面図により簡易的に例示している。ただし図３では見易さを考慮してハッチング等は省略している。図３の例では、ＥＶＦ１４は、ファインダーボックスＦＢにおいて覗き窓１６と対峙する所定位置に配設された液晶パネル１４ａ、液晶パネル１４ａの背面に設けられたバックライト１４ｂ、液晶パネル１４ａと覗き窓１６との間に設けられた所定数の拡大レンズ１４ｃを含む。また、ファインダーボックスＦＢ内の壁面であって、拡大レンズ１４ｃと液晶パネル１４ａとの間の所定範囲の壁面には、照明部２１としてのＬＥＤ２１ａが設けられている。さらに、拡大レンズ１４ｃと液晶パネル１４ａとの間の所定位置には、内部測光センサー２２が設けられている。
【００２０】
なお、ユーザーは、暗い空間内で明るい画像を見たときに上記“酔い”を感じやすい。そこで本実施形態では、ファインダーボックスＦＢ内の壁面のうち、少なくとも液晶パネル１４ａ周辺の壁面は白色としている。図３では、白色とした範囲を例示している。このように、ファインダーボックスＦＢ内の壁面のうち液晶パネル１４ａ周辺の壁面を白色とすることで、液晶パネル１４ａ周辺の暗さが和らぎ、結果、ユーザーは上記“酔い”を感じにくくなる。
【００２１】
以下では、ＤＳＣ１０の構成において実施可能な複数の実施例を説明する。
第１実施例：
図４は、ＥＶＦ１４に上記デジタル画像データに基づく画像表示をさせる際に主に制御部１７が実行する明るさ制御処理であって、第１実施例にかかる処理をフローチャートにより示している。まず、ステップＳ１００では、制御部１７は、外部測光センサー１９を駆動させることにより、ＤＳＣ１０外部の明るさを取得する。つまり、外部測光センサー１９に外部の光量を測定させ、測定結果としての出力信号を、Ａ／Ｄ変換部２０を介して取得する。
【００２２】
ステップＳ１１０では、制御部１７は、上記ステップＳ１００で取得したＤＳＣ１０外部の明るさに応じてＥＶＦ１４の明るさを決定する。ここで決定するＥＶＦ１４の明るさとは、バックライト１４ｂの輝度を指す。この場合、制御部１７は、上記測定結果が示す光量のレベルが高いほど（つまり、ＤＳＣ１０の外部が明るいほど）、高い輝度を決定する。言い換えると、制御部１７は、上記測定結果が示す光量のレベルが第一のレベルである場合に、当該第一のレベルに対応した第二の輝度を決定し、上記測定結果が示す光量のレベルが上記第一のレベルよりも明るい第三のレベルである場合に、上記第二の輝度よりも明るい第四の輝度を決定する。制御部１７は、このような上記測定結果に応じたＥＶＦ１４の明るさの決定処理を、予めＲＯＭ１７ｂ等所定のメモリーに保存したテーブルを参照する等して行なう。
【００２３】
図５，６，７は、上記テーブルＴを例示している。これらテーブルＴは、いずれも入力値（上記測定結果が示す光量のレベル）に対する出力値（バックライト１４ｂの輝度）の関係を規定している。図５のテーブルＴは、入力値の増加に応じて出力値が階段状に増加する特性を有しており、図６のテーブルＴは、入力値の増加に応じて出力値が線形的に増加する特性を有しており、図７のテーブルＴは、入力値の増加に応じて出力値が非線形的に増加する特性を有している。制御部１７は、例えば、図５，６，７に示したテーブルＴのうちいずれかを用いて、バックライト１４ｂの輝度を決定する。
【００２４】
ステップＳ１２０では、制御部１７は、上記ステップＳ１１０で決定した輝度となるようにバックライト１４ｂの駆動をＰＷＭ制御することにより、バックライト１４ｂの輝度を調整する。この結果、バックライト１４ｂは、ＤＳＣ１０の外部の明るさに応じた明るさで発光する（外部が明るければ高い輝度で発光し、外部が暗ければ低い輝度で発光する）。このように、第１実施例によれば、ＤＳＣ１０周辺の環境光の明るさに応じてＥＶＦ１４の明るさも調整される。そのため、例えば現実のユーザー周辺の風景は暗いにもかかわらずＥＶＦに映されている画像は現実の風景の明るさに関係なく高輝度で表示されてユーザーに“酔い”を感じさせてしまう、といった従来の不都合が解消される。
【００２５】
なお上記ステップＳ１００では、制御部１７は、外部測光センサー１９を駆動させることにより外部の明るさを取得するとしたが、必ずしも外部測光センサー１９を用いる必要はない。上記ステップＳ１００では、制御部１７は、撮像素子１２によって生成、出力された上記デジタル画像データに基づいて、ＤＳＣ１０外部の明るさを取得するとしてもよい。つまり制御部１７は、当該画像データを解析することにより、例えば、画像データにおける平均輝度を算出し、当該算出した平均輝度をＤＳＣ１０外部の明るさとして取得する。そして、制御部１７はステップＳ１１０では、このように取得した明るさに応じたバックライト１４ｂの輝度を、図５，６，７に示したような入出力特性を持ったテーブルを用いて決定する。この場合、上記「測定結果が示す光量のレベル」を「画像データにおける平均輝度」に読み替えるものとする。
【００２６】
このように、撮像素子１２によって得られた画像データに基づいてＤＳＣ１０外部の明るさを取得する構成を採用すれば、ＤＳＣ１０外部の明るさを取得するために外部測光センサー１９を設ける必要がないため、装置全体のコストダウンにつながる。また、第１実施例を実施する限りにおいては、照明部２１、内部測光センサー２２、Ａ／Ｄ変換部２３は不要であり、ＤＳＣ１０の構成として省略することができる。
【００２７】
なお、ユーザーは、覗き窓１６を覗いた直後においてはファインダーボックスＦＢ内のＥＶＦ１４の明るさに目が慣れず、液晶パネル１４ａの画像を眩しく感じたり不快に感じたりする（“酔い”を感じる）ことがある。そこで、制御部１７は、覗き窓１６がユーザーによって覗かれているか否かを判断し、覗き窓１６が覗かれている時間が長くなるにつれてＥＶＦ１４の明るさを増加させるとしてもよい。具体的には、制御部１７は、例えば上記のようにステップＳ１１０でバックライト１４ｂの輝度を決定した後、ステップＳ１２０でバックライト１４ｂの輝度を即座に当該決定された輝度にするのではなく、近接センサー２４からの検知信号の入力を監視する。
【００２８】
そして、検知信号が継続的に入力される場合、つまり覗き窓１６がユーザーによって覗かれていると判断できる期間中は、時間の経過に沿って徐々にバックライト１４ｂの輝度を上昇させ、最終的にバックライト１４ｂの輝度を上記決定された輝度にまで上昇させる。このような構成とすれば、覗き窓１６を覗いて液晶パネル１４ａの画像を見るユーザーの目が適切に液晶パネル１４ａの明るさに順応し、上記“酔い”を感じにくくなる。なお、このように時間の経過に沿って徐々にバックライト１４ｂの輝度を上昇させる場合、上昇のさせ方は、階段状であってもよいし、線形的に上昇させてもよいし、非線形的に上昇させてもよい。また、ステップＳ１２０でバックライト１４ｂの輝度を即座に決定された輝度にし、近接センサー２４からの検知信号に基づいて覗き窓１６がユーザーによって覗かれていると判断できる期間中は、時間の経過に沿って徐々にバックライト１４ｂの輝度を上昇させ、最終的にバックライト１４ｂの輝度を一定の明るさにするようにしても良い。
【００２９】
第２実施例：
図８は、ＥＶＦ１４に上記デジタル画像データに基づく画像表示をさせる際に主に制御部１７が実行する明るさ制御処理であって、第２実施例にかかる処理をフローチャートにより示している。まず、ステップＳ２００では、制御部１７は、内部測光センサー２２を駆動させることにより、ファインダーボックスＦＢ内の明るさを取得する。つまり、内部測光センサー２２に光量を測定させ、測定結果としての出力信号を、Ａ／Ｄ変換部２３を介して取得する。
【００３０】
ステップＳ２１０では、制御部１７は、上記ステップＳ２００で取得したファインダーボックスＦＢ内の明るさに応じてＥＶＦ１４の明るさを決定する。ここで決定するＥＶＦ１４の明るさとは、バックライト１４ｂの輝度を指す。この場合、制御部１７は、上記ステップＳ２００での測定結果が示す光量のレベルが高いほど（つまり、ファインダーボックスＦＢ内が明るいほど）、高い輝度を決定する。言い換えると、制御部１７は、上記測定結果が示す光量のレベルが第一のレベルである場合に、当該第一のレベルに対応した第二の輝度を決定し、上記測定結果が示す光量のレベルが上記第一のレベルよりも明るい第三のレベルである場合に、上記第二の輝度よりも明るい第四の輝度を決定する。第２実施例においても、制御部１７は、このような上記測定結果に応じたＥＶＦ１４の明るさの決定処理を、予めＲＯＭ１７ｂ等所定のメモリーに保存したテーブルＴ（図５，６，７）を参照する等して行なう。
【００３１】
ステップＳ２２０では、制御部１７は、上記ステップＳ２１０で決定した輝度となるようにバックライト１４ｂの駆動をＰＷＭ制御することにより、バックライト１４ｂの輝度を調整する。この結果、バックライト１４ｂは、ファインダーボックスＦＢ内の明るさに応じた明るさで発光する（ファインダーボックスＦＢ内が明るければ高い輝度で発光し、ファインダーボックスＦＢ内が暗ければ低い輝度で発光する）。このように、第２実施例によれば、ファインダーボックスＦＢ内の明るさとＥＶＦ１４としての液晶パネル１４ａの明るさとの差が大きくならないように、ファインダーボックスＦＢ内の明るさに応じてバックライト１４ｂの輝度が調整される。そのため、そのような明度差があることでユーザーが感じてしまう“酔い”を低減しあるいは無くすことができる。なお、第２実施例を実施する限りにおいては、外部測光センサー１９、Ａ／Ｄ変換部２０、照明部２１は不要であり、ＤＳＣ１０の構成として省略することができる。
【００３２】
第３実施例：
図９は、ＥＶＦ１４に上記デジタル画像データに基づく画像表示をさせる際に主に制御部１７が実行する明るさ制御処理であって、第３実施例にかかる処理をフローチャートにより示している。まず、ステップＳ３００では、制御部１７は、ＥＶＦ１４の明るさを取得する。この場合、制御部１７は、撮像素子１２によって生成、出力された上記デジタル画像データと、バックライト１４ｂの明るさとのいずれか一方または双方に基づいて、ＥＶＦ１４の明るさを取得することが可能である。例えば、デジタル画像データにおける平均輝度を算出し、当該算出した平均輝度をＥＶＦ１４の明るさとする。あるいは、制御部１７がバックライト１４ｂの輝度を示すものとして設定しているパラメーターが示す輝度をＥＶＦ１４の明るさとする。
【００３３】
ただしここでは、制御部１７は、上記デジタル画像データおよびバックライト１４ｂの明るさの双方に基づいて、ＥＶＦ１４の明るさを取得する。具体的には、デジタル画像データの上記平均輝度と、制御部１７が設定している上記パラメーターが示す輝度とについて、それらを正規化するための所定の係数を掛ける等した上で、足し合わせたり、あるいは掛け合わせたりした結果を、ＥＶＦ１４自体の明るさとして取得する。
【００３４】
ステップＳ３１０では、制御部１７は、上記ステップＳ３００で取得したＥＶＦ１４の明るさに応じて、照明部２１（ＬＥＤ２１ａ）の明るさ（輝度）を決定する。この場合、制御部１７は、上記ステップＳ３００で取得したＥＶＦ１４の明るさが高いほど、高い輝度を決定する。言い換えると、制御部１７は、上記ＥＶＦ１４の明るさが第一のレベルである場合に、当該第一のレベルに対応した第二の輝度を決定し、上記ＥＶＦ１４の明るさが上記第一のレベルよりも明るい第三のレベルである場合に、上記第二の輝度よりも明るい第四の輝度を決定する。第３実施例においても、制御部１７は、このような上記ＥＶＦ１４の明るさ応じたＬＥＤ２１ａの輝度の決定処理を、予めＲＯＭ１７ｂ等所定のメモリーに保存したテーブルＴ（図５，６，７）を参照する等して行なう。ただしこの場合、上記「測定結果が示す光量のレベル」を「上記ステップＳ３００で取得したＥＶＦ１４の明るさ」に読み替えるものとする。
【００３５】
ステップＳ３２０では、制御部１７は、上記ステップＳ３１０で決定した輝度となるようにＬＥＤ２１ａの駆動をＰＷＭ制御することにより、ＬＥＤ２１ａの輝度を調整する。この結果、ＬＥＤ２１ａは、ＥＶＦ１４自体の明るさに応じた明るさで発光する（ＥＶＦ１４が明るければ高い輝度で発光し、ＥＶＦ１４が暗ければ低い輝度で発光する）。つまり、ＥＶＦ１４自体の明るさとファインダーボックスＦＢ内の明るさとの差が大きくならないように、ＥＶＦ１４自体の明るさに応じてファインダーボックスＦＢ内の明るさが調整されるため、そのような明度差があることでユーザーが感じてしまう“酔い”を低減しあるいは無くすことができる。なお、第３実施例を実施する限りにおいては、外部測光センサー１９、Ａ／Ｄ変換部２０、内部測光センサー２２、Ａ／Ｄ変換部２３は不要であり、ＤＳＣ１０の構成として省略することができる。
【００３６】
当該第３実施例においては、制御部１７は、覗き窓１６がユーザーによって覗かれているか否かを判断し、覗き窓１６が覗かれている時間が長くなるにつれてＥＶＦ１４の明るさおよび照明部２１の明るさを増加させるとしてもよい。具体的には、制御部１７は、上記のようにステップＳ３１０でＬＥＤ２１ａの輝度を決定した後、ステップＳ３２０でＬＥＤ２１ａの輝度を即座に当該決定された輝度にするのではなく、近接センサー２４からの検知信号の入力を監視する。そして、検知信号が継続的に入力される場合、つまり覗き窓１６がユーザーによって覗かれていると判断できる期間中は、時間の経過に沿って徐々にＬＥＤ２１ａの輝度およびバックライト１４ｂの輝度をそれぞれ上昇させ、最終的に、ＬＥＤ２１ａの輝度を上記ステップＳ３１０で決定された輝度にまで上昇させるとともに、バックライト１４ｂの輝度を制御部１７が設定している上記パラメーターが示す輝度にまで上昇させる。このような構成とすれば、覗き窓１６を覗いて液晶パネル１４ａの画像を見るユーザーの目が適切にファインダーボックスＦＢ内の明るさおよび液晶パネル１４ａの明るさに順応し、上記“酔い”を感じにくくなる。なお、このように時間の経過に沿って徐々にＬＥＤ２１ａの輝度およびバックライト１４ｂの輝度を上昇させる場合、上昇のさせ方はそれぞれ、階段状であってもよいし、線形的に上昇させてもよいし、非線形的に上昇させてもよい。また、ステップＳ３２０でＬＥＤ２１ａの輝度を即座に決定された輝度にし、近接センサー２４からの検知信号に基づいて覗き窓１６がユーザーによって覗かれていると判断できる期間中は、時間の経過に沿って徐々にＬＥＤ２１ａの輝度およびバックライト１４ｂの輝度を上昇させ、最終的にＬＥＤ２１ａおよびバックライト１４ｂの輝度を一定の明るさにするようにしても良い。
【００３７】
第４実施例：
図１０は、ＥＶＦ１４に上記デジタル画像データに基づく画像表示をさせる際に主に制御部１７が実行する明るさ制御処理であって、第４実施例にかかる処理をフローチャートにより示している。まず、ステップＳ４００では、制御部１７は、外部測光センサー１９を駆動させることにより、ＤＳＣ１０外部の明るさを取得する。つまり、外部測光センサー１９に外部の光量を測定させ、測定結果としての出力信号を、Ａ／Ｄ変換部２０を介して取得する。
【００３８】
ステップＳ４１０では、制御部１７は、上記ステップＳ４００で取得したＤＳＣ１０外部の明るさに応じて照明部２１（ＬＥＤ２１ａ）の明るさ（輝度）を決定する。この場合、制御部１７は、上記ステップＳ４００での測定結果が示す光量のレベルが高いほど（つまり、ＤＳＣ１０の外部が明るいほど）、高い輝度を決定する。言い換えると、制御部１７は、上記測定結果が示す光量のレベルが第一のレベルである場合に、当該第一のレベルに対応した第二の輝度を決定し、上記測定結果が示す光量のレベルが上記第一のレベルよりも明るい第三のレベルである場合に、上記第二の輝度よりも明るい第四の輝度を決定する。第４実施例においても、制御部１７は、このようなＤＳＣ１０外部の明るさ応じたＬＥＤ２１ａの輝度の決定処理を、予めＲＯＭ１７ｂ等所定のメモリーに保存したテーブルＴ（図５，６，７）を参照する等して行なう。
【００３９】
なお上記ステップＳ４００においても、制御部１７は、外部測光センサー１９を用いて外部の明るさを取得するのではなく、撮像素子１２によって生成、出力された上記デジタル画像データに基づいて、ＤＳＣ１０外部の明るさを取得するとしてもよい。つまり制御部１７は、当該画像データを解析することにより、画像データにおける平均輝度を算出し、当該算出した平均輝度をＤＳＣ１０外部の明るさとして取得する。そして、制御部１７はステップＳ４１０では、このように画像データに基づいて取得した明るさに応じたＬＥＤ２１ａの輝度を、図５，６，７に示したような入出力特性を持ったテーブルを用いて決定してもよい。この場合、上記「測定結果が示す光量のレベル」を「画像データにおける平均輝度」に読み替えるものとする。
ステップＳ４２０では、制御部１７は、上記ステップＳ４１０で決定した輝度となるようにＬＥＤ２１ａの駆動をＰＷＭ制御することにより、ＬＥＤ２１ａの輝度を調整する。この結果、ＬＥＤ２１ａは、ＤＳＣ１０の外部の明るさに応じた明るさで発光する（外部が明るければ高い輝度で発光し、外部が暗ければ低い輝度で発光する）。このように、第４実施例によれば、ＤＳＣ１０周辺の環境光の明るさに応じて照明部２１の明るさ（ファインダーボックスＦＢ内の明るさ）が調整されるため、ＥＶＦ１４を覗くユーザーが、外部の明るさとファインダーボックスＦＢ内の明るさとの差に起因して上述したような“酔い”を感じてしまう、といった不都合が解消される。なお、第４実施例を実施する限りにおいては、内部測光センサー２２、Ａ／Ｄ変換部２３は不要であり、ＤＳＣ１０の構成として省略することができる。
【００４０】
当該第４実施例においても、制御部１７は、覗き窓１６がユーザーによって覗かれているか否かを判断し、覗き窓１６が覗かれている時間が長くなるにつれてＥＶＦ１４の明るさおよび照明部２１の明るさを増加させるとしてもよい。具体的には、制御部１７は、上記のようにステップＳ４１０でＬＥＤ２１ａの輝度を決定した後、ステップＳ４２０でＬＥＤ２１ａの輝度を即座に当該決定された輝度にするのではなく、近接センサー２４からの検知信号の入力を監視する。そして、検知信号が継続的に入力される場合、つまり覗き窓１６がユーザーによって覗かれていると判断できる期間中は、時間の経過に沿って徐々にＬＥＤ２１ａの輝度およびバックライト１４ｂの輝度をそれぞれ上昇させ、最終的に、ＬＥＤ２１ａの輝度を上記ステップＳ４１０で決定された輝度にまで上昇させるとともに、バックライト１４ｂの輝度を制御部１７が設定している上記パラメーターが示す輝度にまで上昇させる。このような構成とすれば、覗き窓１６を覗いて液晶パネル１４ａの画像を見るユーザーの目が適切にファインダーボックスＦＢ内の明るさおよび液晶パネル１４ａの明るさに順応し、上記“酔い”を感じにくくなる。なお、このように時間の経過に沿って徐々にＬＥＤ２１ａの輝度およびバックライト１４ｂの輝度を上昇させる場合、上昇のさせ方はそれぞれ、階段状であってもよいし、線形的に上昇させてもよいし、非線形的に上昇させてもよい。また、ステップＳ４２０でＬＥＤ２１ａの輝度を即座に決定された輝度にし、近接センサー２４からの検知信号に基づいて覗き窓１６がユーザーによって覗かれていると判断できる期間中は、時間の経過に沿って徐々にＬＥＤ２１ａの輝度およびバックライト１４ｂの輝度を上昇させ、最終的にＬＥＤ２１ａおよびバックライト１４ｂの輝度を一定の明るさにするようにしても良い。
【００４１】
その他：
本発明は上述した実施形態に限られるものではなく、その要旨を逸脱しない範囲において種々の態様で実施することが可能である。むろん、上述した各実施例を適宜組み合わせた構成も実施可能である。
【００４２】
さらに、上記各実施例に共通する効果として、ユーザーのＥＶＦ１４の積極的な使用によるＤＳＣ１０全体としての節電効果が挙げられる。つまり、上記各実施例によれば、ＥＶＦ１４を使用する際のユーザーの酔いが低減または解消されるため、ユーザーとしてもモニター用ＬＣＤ１３を使用する替わりに、ＥＶＦ１４を積極的に使用するようになると考えられる。上述したようにＥＶＦ１４は、液晶パネル１４ａの画面サイズがモニター用ＬＣＤ１３の画面サイズよりも小さいため、モニター用ＬＣＤ１３の替わりにＥＶＦ１４が使用される機会が増えることで、ＤＳＣ１０における消費電力が節約され、ＤＳＣ１０でより長時間の撮影が可能となる。
【００４３】
さらに本発明の構成は、ＥＶＦを搭載したカメラ以外の各種装置において適用可能である。例えば、ＬＣＤを用いたウェアラブルディスプレーにおいても、ＬＣＤの明るさや、ＬＣＤを囲う空間内の明るさの調整のために本発明を適用することができる。
【符号の説明】
【００４４】
１０…ＤＳＣ、１１…撮像レンズ、１２…撮像素子、１３…モニター用ＬＣＤ、１４…ＥＶＦ、１４ａ…液晶パネル、１４ｂ…バックライト、１５…筺体、１６…覗き窓、１７…制御部、１７ａ…ＣＰＵ、１７ｂ…ＲＯＭ、１７ｃ…ＲＡＭ、１８…撮像素子ドライバー、１９…外部測光センサー、２０…Ａ／Ｄ変換部、２１…照明部、２１ａ…ＬＥＤ、２２…内部測光センサー、２３…Ａ／Ｄ変換部、２４…近接センサー
【図１】
2011164536.tif 000003
【図２】
2011164536.tif 000004
【図３】
2011164536.tif 000005
【図４】
2011164536.tif 000006
【図５】
2011164536.tif 000007
【図６】
2011164536.tif 000008
【図７】
2011164536.tif 000009
【図８】
2011164536.tif 000010
【図９】
2011164536.tif 000011
【図１０】
2011164536.tif 000012